(57)【要約】【課題】画像投射用プロジェクタにおいて、ランプ点灯用とマイナスイオン発生用とに高圧発生回路を兼用して、マイナスイオン発生器を、内部構造を複雑にすることなく組み込み、しかも、特別な操作が必要ではなく、使い勝手の良いものとする。【解決手段】画像投射用の光を出射するランプ３と、ランプ３へ冷却風を送風するファン４と、ランプ３の点灯用高圧発生回路１４と、を有する画像投射用プロジェクタにおいて、ファン４による送風路Ｆにマイナスイオン発生器１１を設け、マイナスイオン発生器１１の電源としてランプ３の点灯用高圧発生回路１４を用いる。また、高圧発生回路１４からの出力の切替えを、マイクロコンピュータからなる制御部１６によって制御する。【選択図】図１
2006023549.tif 000002
【特許請求の範囲】
【請求項１】
画像投射用の光を出射するランプと、該ランプへ冷却風を送風するファンと、該ランプ
の点灯用高圧発生回路と、を有する画像投射用プロジェクタにおいて、
前記ファンによる送風路に設けた電子放射式マイナスイオン発生器と、
前記高圧発生回路の出力を、前記ランプ又は前記マイナスイオン発生器のいずれかへと切
替え自在に接続するスイッチ手段と、
前記スイッチ手段の切替えと前記高圧発生回路のオン・オフとを制御する制御部とを備え
、
前記制御部は、画像投射用プロジェクタの投射開始時に、前記高圧発生回路の出力を前
記ランプへ接続した状態で、該高圧発生回路をオンし、ランプが点灯した後、一旦、該高
圧発生回路をオフすると共に、前記スイッチ手段を切替えて、該高圧発生回路の出力を前
記マイナスイオン発生器へ接続し、その後、該高圧発生回路をオンすることを特徴とする
画像投射用プロジェクタ。
【請求項２】
画像投射用の光を出射するランプと、該ランプへ冷却風を送風するファンと、該ランプ
の点灯用高圧発生回路と、を有する画像投射用プロジェクタにおいて、
前記ファンによる送風路に設けたマイナスイオン発生器を備え、
前記マイナスイオン発生器の電源として前記ランプの点灯用高圧発生回路を用いたことを
特徴とする画像投射用プロジェクタ。
【請求項３】
前記高圧発生回路の出力を、前記ランプ又は前記マイナスイオン発生器のいずれかへと
、切替え自在に接続するスイッチ手段と、
前記スイッチ手段の切替えと前記高圧発生回路のオン・オフとを制御する制御部とを備え
たことを特徴とする請求項２記載の画像投射用プロジェクタ。
【発明の詳細な説明】
【技術分野】
【０００１】
本発明は、画像投射用プロジェクタに関し、詳細には、画像投射用の光を出射するラン
プと、該ランプへ冷却風を送風するファンと、該ランプの点灯用高圧発生回路と、を有す
る画像投射用プロジェクタに関するものである。
【背景技術】
【０００２】
画像を投影する光学メカニズムとして透過型液晶あるいは反射型液晶を用いた種々の画
像投射用プロジェクタが普及してきている。これら画像投射用プロジェクタは、パソコン
等からの画像情報を取り込んで、それを光学メカニズムによって実画像に変換し、さらに
その画像をレンズを介して拡大し、前方のスクリーンに強い光で投影する。したがって、
光学メカニズムには高輝度の光を発するランプが含まれ、このランプから発生する熱で内
部が高温にならないように、要所には送風用のファンが設けられている。また、ランプは
、点灯時には特別な高電圧が必要なため、通常高圧発生回路（イグナイタ回路）を備えて
いる。
【０００３】
一方、空気中にマイナスイオンを放出し、埃の除去や、消臭を図り、人体に健康増進作用
を及ぼすとされるマイナスイオン発生器が知られている。マイナスイオン発生器は、その
発生原理により、コロナ放電方式、電子放射式及び水破砕方式の３つに大別される。コロ
ナ放電方式は、マイナスイオンの発生と同時に、オゾンや窒素酸化物等の有害物質も発生
するため、これら有害物質の発生量を抑える種々の工夫が必要である。電子放射式はパル
ス性の高電圧が必要であるが、針状の電極から直接空気中に電子を放出させるので、オゾ
ンや窒素酸化物等の有害物質の発生が、本来的に少ない長所がある。水破砕方式は、高電
圧は必要ではないが、装置が大型になる欠点がある。
【０００４】
また、マイナスイオン発生器は、上記の作用、効能があるので、家庭、事務所等の人が集
まる場所に設置して、マイナスイオンを恒常的に発生させるような使用方法が、望ましい
とされている。そこで、マイナスイオン発生器を他の電気機器（例えば、冷蔵庫、パソコ
ン等）と組み合わせて、あるいは他の電気機器に組み込んだ形で使用したいという要望が
ある。確かに、コロナ放電方式と電子放射式のマイナスイオン発生器は、所定の電源さえ
あれば比較的小型に構成でき、他の電気機器の中へ組み込むことが容易であるが、単純に
他の電気機器と組み合わせたのでは、その分、内部構造が複雑になってコスト高となるし
、操作の煩雑さが増し、ユーザにとって望ましくない。
【０００５】
特許文献１には、イオン発生装置を空気清浄機や自動車に組み込むことが提案されている
が、具体的な組み込み構造は示されていない。特許文献２には、パソコンとマイナスイオ
ン発生器をＩＥＥＥ１３９４ケーブルで接続し、パソコンの電源のオン・オフがマイナス
イオン発生器の電源のオン・オフに連動するように構成したものが示されているが、パソ
コンとマイナスイオン発生器は、あくまでも別体であって、両者を接続するためには上記
ケーブル等の追加部品が必要になるし、パソコンの接続端がケーブルの接続のために塞が
れてしまう欠点もある。
【特許文献１】特開２００３−１５１７１９号公報
【特許文献２】特開２００３−２５７５８８号公報
【発明の開示】
【発明が解決しようとする課題】
【０００６】
本発明は、画像投射用プロジェクタに備えられたランプ点灯用の高圧発生回路を、マイナ
スイオン発生器の電源として兼用して、内部構造を複雑にすることなく組み込み、しかも
、マイナスイオンを発生させるための特別な操作が必要ではなく、ユーザにとって使い勝
手の良い画像投射用プロジェクタを提供することを目的とする。
【課題を解決するための手段】
【０００７】
上記課題を解決する請求項１の発明は、画像投射用の光を出射するランプと、該ランプへ
冷却風を送風するファンと、該ランプの点灯用高圧発生回路と、を有する画像投射用プロ
ジェクタにおいて、前記ファンによる送風路に設けた電子放射式マイナスイオン発生器と
、前記高圧発生回路の出力を、前記ランプ又は前記マイナスイオン発生器のいずれかへと
切替え自在に接続するスイッチ手段と、前記スイッチ手段の切替えと前記高圧発生回路の
オン・オフとを制御する制御部とを備え、前記制御部は、画像投射用プロジェクタの投射
開始時に、前記高圧発生回路の出力を前記ランプへ接続した状態で、該高圧発生回路をオ
ンし、ランプが点灯した後、一旦、該高圧発生回路をオフすると共に、前記スイッチ手段
を切替えて、該高圧発生回路の出力を前記マイナスイオン発生器へ接続し、その後、該高
圧発生回路をオンすることを特徴とする。
【０００８】
請求項１の発明により、ランプ点灯用の高圧発生回路をマイナスイオン発生器の電源に共
用化することにより、内部構造を複雑にすることなく、マイナスイオン発生器を組み込ん
だ画像投射用プロジェクタが実現できる。また、マイナスイオンを発生させるための特別
な操作が必要ではなく、ユーザにとって使い勝手が良い画像投射用プロジェクタが実現で
きる。
【０００９】
請求項２の発明は、画像投射用の光を出射するランプと、該ランプへ冷却風を送風するフ
ァンと、該ランプの点灯用高圧発生回路と、を有する画像投射用プロジェクタにおいて、
前記ファンによる送風路に設けたマイナスイオン発生器を備え、前記マイナスイオン発生
器の電源として前記ランプの点灯用高圧発生回路を用いたことを特徴とする。
【００１０】
請求項２の発明により、内部構造を複雑にすることなく、マイナスイオン発生器を組み込
んだ画像投射用プロジェクタが実現できる。
【００１１】
請求項３の発明は、請求項２記載の画像投射用プロジェクタにおいて、前記高圧発生回路
の出力を、前記ランプ又は前記マイナスイオン発生器のいずれかへと、切替え自在に接続
するスイッチ手段と、前記スイッチ手段の切替えと前記高圧発生回路のオン・オフとを制
御する制御部とを備えたことを特徴とする。
【００１２】
請求項３の発明により、内部構造を複雑にすることなく、マイナスイオン発生器を組み込
んだ画像投射用プロジェクタが実現できる。
【発明の効果】
【００１３】
本発明によれば、１つの高圧発生回路をランプ点灯用とマイナスイオン発生用に兼用して
、内部構造を複雑にすることなく、マイナスイオン発生器を組み込んだ画像投射用プロジ
ェクタを安価に実現できる。また、マイナスイオン発生器を組み込んだことによる、操作
の煩雑さが生じることがなく、ユーザにとって使い勝手が良い画像投射用プロジェクタが
実現できる。
【発明を実施するための最良の形態】
【００１４】
以下、本発明の一実施形態に係る画像投射用プロジェクタについて図面を参照して説明す
る。図１は本実施形態の画像投射用プロジェクタの構成を示す。プロジェクタ１は、略直
方体形状の筐体２内に、画像投射用の光を出射するランプ３と、該ランプ３へ冷却風を送
風するファン４と、ランプ３から出射された光を反射して実画像を形成する画像形成素子
５としてのDMD（DigitalMicromirrorDevice：米国テキサスインスツルメント社の登録商
標）及び反射ミラー６等を備えている。ランプ３から出射され、筐体前面２ａの投射口７
から筐体２外へ出射されるまでの光軸をＰで示す。
【００１５】
前記ファン４は、ランプ３に隣接して設けられたシロッコファンである。このファン４が
作動することにより、筐体２の背面２ｂと側面２ｃに形成した吸引口８、９から空気を吸
引して、ランプ３を経て筐体前面２ａの排気口１０から排気し、高温になりがちなランプ
３を冷却する。冷却風の送風路をＦで示す。そして、このファン４に隣接して、冷却風の
上流側に電子放射式のマイナスイオン発生器１１が設けられている。
【００１６】
また、筐体２内の、ランプ３、ファン４、画像形成素子５等を設けた上方には、シールド
板（不図示）を隔てて電源回路１２が設けられている。電源回路１２は、メイン電源回路
１３、ランプの点灯時用の高圧パルス電流を発生するイグナイタ回路（高圧発生回路）１
４、及びランプの定常時電圧を供給するランプ電源１５を備え、ランプ３及びマイナスイ
オン発生器１１を含めて次のように接続されている。
【００１７】
図２はランプ３とマイナスイオン発生器１１を含めた電源回路１２、及びそれらを制御す
るマイクロコンピュータからなる制御部１６のブロック構成を示す。イグナイタ回路１４
の出力は、スイッチ手段１７を介して、ランプ３の入力あるいはマイナスイオン発生器１
１の入力へと、切替え自在に接続されており、スイッチ手段１７の切替えは制御部１６か
らの指令により行われる。ランプ電源１５のオン・オフ及びイグナイタ回路１４のオン・
オフも制御部１６からの指令により行われる。
【００１８】
本実施形態のプロジェクタ１においては、マイナスイオン発生器１１を動作させるモード
と、マイナスイオン発生器を動作させず、純粋に画像投射機能のみを動作させるモードを
、ユーザが予め選択できるようになっており、この選択されたモードを、制御部１６が記
憶している。
【００１９】
制御部１６には、ユーザが当該プロジェクタを操作する（電源オン・オフ、前記モードの
切替え、画像情報の入力先の切替え等）ための操作部１８、及びリモコン２０を通じて操
作するためのリモコン受光部１９が接続されている。
【００２０】
次に、本実施形態の画像投射用プロジェクタ１の動作について、図３のフローチャートに
沿って説明する。まず、ユーザが前記操作部１８又はリモコン２０を通じてプロジェクタ
１の電源をオン操作すると、制御部１６はそれを判断し（ステップ１）、イグナイタ回路
１４を８秒間オンする（ステップ２）。イグナイタ回路１４による出力は、本実施形態で
は、２ＫＶの電圧で１００ＫＨｚのパルス出力である。この初期状態では、スイッチ手段
１７は、イグナイタ回路１４の出力がランプ３へと供給される側（図２の実線）へ切替え
られている。
【００２１】
この８秒間のパルス電圧の印加により、ランプ３は点灯し、続いて制御部１６によりラン
プ電源１５がオンされ（ステップ３）、ランプ３はランプ電源１５からの給電を受けて定
常な点灯状態へと移行する。
【００２２】
次に、制御部１６は、プロジェクタ１の動作モードが、マイナスイオン発生器の動作モー
ドになっているかどうかを判断し（ステップ４）、マイナスイオン発生器の動作モードが
選択されていなければ、そのまま電源オン処理を終了する。マイナスイオン発生器の動作
モードが選択されていれば、スイッチ手段１７を切替えて（ステップ５）、イグナイタ回
路１４の出力がマイナスイオン発生器１１側へ接続されるようにした後（図２の破線）、
イグナイタ回路１４を再びオンする（ステップ６）。
【００２３】
イグナイタ回路１４のオンにより、マイナスイオン発生器１１へのパルス電圧供給が開始
されて、針状電極１１ａから次々と電子が空気中へ放出される。空気中に放出された電子
は周りの酸素、あるいは水分と結合してマイナスイオンを形成する。空気中に発生したマ
イナスイオンは、ファン４による送風によって、良好に筐体２外へと放出される。
【００２４】
なお、上記イグナイタ回路１４からの電圧は高電圧であるが、出力の切替えの際、一旦イ
グナイタ回路１４の動作を停止した後、スイッチ手段１７を切替えているので、放電とか
、スパークが生じる等の不測の不具合が発生する恐れがない。
【００２５】
本発明は、上記実施形態の構成に限られず種々の変形が可能である。例えば、マイナスイ
オン発生器１１として、電子放射式のものを採用したが、コロナ放電方式のものを採用す
ることも可能である。また、上記実施形態では、マイナスイオン発生器１１をファン４に
よる送風路Ｆの上流側に設けたが、下流側、つまりファン４とランプ３の間に設けてもよ
い。
【図面の簡単な説明】
【００２６】
【図１】本発明の一実施形態に係る画像投射用プロジェクタの平面図。
【図２】同プロジェクタの制御部を含めた電源回路のブロック図。
【図３】同プロジェクタの投射開始時における動作手順を示すフローチャート。
【符号の説明】
【００２７】
１  画像投射用プロジェクタ
３  ランプ
４  ファン
８  吸引口
９  吸引口
１０  排出口
１１  マイナスイオン発生器
１２  電源回路
１４  イグナイタ回路（高圧発生回路）
１６  制御部
１７  スイッチ手段
Ｆ  送風路
【図１】
2006023549.tif 000003
【図２】
2006023549.tif 000004
【図３】
2006023549.tif 000005